(57)【要約】【課題】ＬＥＤ等の発光部を付けた不正治具をコイン通路に挿入し、発光部をセンサ受光部に対応させ点滅させてコイン通過を誤認識させる不正行為を防止する。【解決手段】投入されたコインＣを、コイン通路に沿って配設された透過型の第１フォトセンサ１８と第２フォトセンサ２０とを順次通過させ、両センサによる検出信号に基づいてコインの通過を検知すると共に、検知されたコインを下流端から排出させるコイン選別機において、第１フォトセンサ１８によりコインの到達が検知された後、同一のコインの到達が第２フォトセンサ２０により検知されるまでの間に、該第２フォトセンサの投光部２０Ａから、乱数制御されたパルス光を発光させる乱数制御手段３４、３８と、前記第２フォトセンサの受光部２０Ｂが、前記乱数制御されたパルス光を受光したか否かにより、不正行為を判定する正・不正判定手段３６と、を備えた。【選択図】図３
2008000498.tif 000002
【特許請求の範囲】
【請求項１】
投入されたコインを、コイン通路に沿って配設された透過型の第１フォトセンサと第２フォトセンサとを順次通過させ、両センサによる検出信号に基づいてコインの通過を検知すると共に、検知されたコインを下流端から排出させるコイン選別機において、
第１フォトセンサによりコインの到達が検知された後、同一のコインの到達が第２フォトセンサにより検知されるまでの間に、該第２フォトセンサの投光部から、乱数制御されたパルス光を発光させる乱数制御手段と、
前記第２フォトセンサの受光部が、前記乱数制御されたパルス光を受光したか否かにより、不正行為を判定する正・不正判定手段と、を備えたことを特徴とするコイン選別機。
【請求項２】
更に、同一のコインが前記第１フォトセンサと第２フォトセンサにより検知される時間差から通過速度を検出する通過速度検出手段と、
該通過速度検出手段による異常検出及び前記正・不正判定手段による不正判定の少なくとも一方が発生するとエラー検出信号を出力する正規コイン通過判定手段と、を備えたことを特徴とする請求項１に記載のコイン選別機。
【発明の詳細な説明】
【技術分野】
【０００１】
本発明は、コイン選別機、特にパチスロ機（スロットマシン）等のコインを使用する遊技機に適用されるコイン選別機に関する。
【背景技術】
【０００２】
一般にパチスロ機と呼ばれる遊技機には、異型コインを排除し、正規コインを選別し、カウントするためのコイン選別機が設置されている。このようなコイン選別機としては、例えば特許文献１には、図１に示すものが開示されている。
【０００３】
この図に示されるコイン選別機１は、コインＣが投入される投入口２と、これに連接するコイン通路３と、その途中に設置された異型コイン選別部４と、選別された異型コインを外へ排除するコイン返却部５と、正常コインをカウントする光電センサ６を備え、カウントされたコインＣは排出口７から排出されるようになっている。
【０００４】
コインＣは、図示しないパチスロ機投入口から、遊技者により投入されることにより、その下流側の上記投光口２からコイン選別機１に投入される。投入されたコインＣは、コイン通路３に沿って進み、コイン選別部４を通過するが、このとき正規のコインより小径の異型コインは下方に排出される。この選別部４を通過した正規のコインは、更にコイン返却部５を通過した後、光電センサ６を横切って、下流端のコイン排出口７から排出される。
【０００５】
このようなコイン選別機１では、光電センサ６によりカウントされたコインの合計枚数が一定数に達した場合、コイン返却部５の返却機構を駆動するソレノイド（図示せず）が作動して、コイン通路３からコインＣが弾き出され、図示しないパチスロ機の返却口から返却される仕組になっている。
【０００６】
通常、ソレノイドが作動しない場合、コイン通路３では図の手前及び奥の方向にコインＣが飛び出さないようにガイドにより保持されているが、ソレノイドが作動すると、図の手前側に位置するカバー（図示せず）が開き、コインＣは通路から外れて排除される仕組になっている。
【０００７】
このようなコイン選別機１が設置されているパチスロ機では、上述したように正規のコインＣであれば、前記光電センサ６の２つの検知部６Ａ、６Ｂによりその移動方向が検知されると共に、通過枚数がカウントされ、一定の枚数まではクレジットできるようになっている。
【０００８】
【特許文献１】特開平７−３０６９７７号公報
【発明の開示】
【発明が解決しようとする課題】
【０００９】
しかしながら、従来のコイン選別機１では、コイン投入口２からコイン通路３に、先端部に前記２つの検知部６Ａ、６Ｂに対応するＬＥＤ等の発光部を付設した薄板（不正治具）を挿入し、該発光部を受光部に対応させて点滅を繰り返すことにより、あたかもコインが通過しているかのように光電センサ６を誤認識させる不正行為が可能であるという問題があった。
【００１０】
本発明は、前記従来の問題点を解決するべくなされたもので、特別な部品を追加することなく、光電センサを誤認識させて不正にコインのクレジットを取得する不正行為を確実に防止することができるコイン選別機を提供することを課題とする。
【課題を解決するための手段】
【００１１】
本発明は、投入されたコインを、コイン通路に沿って配設された透過型の第１フォトセンサと第２フォトセンサとを順次通過させ、両センサによる検出信号に基づいてコインの通過を検知すると共に、検知されたコインを下流端から排出させるコイン選別機において、第１フォトセンサによりコインの到達が検知された後、同一のコインの到達が第２フォトセンサにより検知されるまでの間に、該第２フォトセンサの投光部から、乱数制御されたパルス光を発光させる乱数制御手段と、前記第２フォトセンサの受光部が、前記乱数制御されたパルス光を受光したか否かにより、不正行為を判定する正・不正判定手段と、を備えたことにより、前記課題を解決したものである。
【００１２】
本発明は、又、更に、同一のコインが前記第１フォトセンサと第２フォトセンサにより検知される時間差から通過速度を検出する通過速度検出手段と、該通過速度検出手段による異常検出及び前記正・不正判定手段による不正判定の少なくとも一方が発生するとエラー検出信号を出力する正規コイン通過判定手段と、を備えているようにしてもよい。
【発明の効果】
【００１３】
本発明によれば、第１フォトセンサによりコインの到達が検知された後、第２フォトセンサにより該コインの到達が検知されるまでの間に、第２フォトセンサの投光部から乱数制御されたパルス光を出力するようにしたので、その受光部でこのパルス光と同期したパルス光が検出されるか否かにより、不正行為が行なわれているか否かを判定できるため、特定のタイミングで乱数を発生させ、パルス光の発光タイミングを制御するだけで、確実に不正行為を発見し、防止することができる。
【発明を実施するための最良の形態】
【００１４】
以下、図面を参照して、本発明の実施の形態について詳細に説明する。
【００１５】
図２には、本発明に係る一実施形態のコイン選別機を模式的に示す。
【００１６】
本実施形態のコイン選別機（セレクタ）１０は、パチスロ機（スロットマシン）に適用される前記図１に示したコイン選別機１と同様に、コインＣが投入口１２から投入されると、コインＣが通過できる程度の筒状のコイン通路１４を通って下流端に位置する排出口１６から排出される。
【００１７】
ここでは図示を省略するが、前記図１のコイン選別機１と同様に、この通路１４には異型コイン選別部やコイン返却部等が設置され、これら各部の機構によって該当するコインが該通路１４の外へ排出されるようになっていると共に、第１、第２透過型フォトセンサ１８、２０がコイン検知手段として配設されている。
【００１８】
第１、第２透過型フォトセンサ１８、２０は、いずれも投光用のＬＥＤ（投光部）と検出用の受光素子（受光部）とを有しており、これらフォトセンサ１８、２０は、コイン通過が検知できるように、コイン通路１４に所定の間隔を空けて配設されていると共に、制御基板２２に搭載されている。
【００１９】
図３には、前記制御基板２２に組み込まれている制御部３０の概要を示す。
【００２０】
本実施形態では、図３の左上部に示すように、前記第１透過型フォトセンサ（図中、センサ１）１８は、第１ＬＥＤ（第１投光部）１８Ａと第１受光素子（第１受光部）１８Ｂとを有し、第２透過型フォトセンサ（図中、センサ２）２０は、同様に第２ＬＥＤ（第２投光部）２０Ａと第２受光素子（第２受光部）２０Ｂとを有しており、これら両投光部、受光部間をコインＣが通過するようになっている。なお、以下には透過型フォトセンサを単にセンサとも記す。
【００２１】
上記制御部３０では、第１センサ１８と第２センサ２０の各受光素子による受光信号Ｓ１、Ｓ２がそれぞれ到達検知・検出タイミング発生回路３２に入力され、該タイミング発生回路３２からの信号Ａ２と、後述する乱数発生回路３４からの信号Ｆ１が正・不正判定回路（手段）３６に入力され、該判定回路３６からの信号Ｄ２がＬＥＤ照明タイミング発生回路３８に、同じく信号Ｄ１が正規コイン通過判定回路４０にそれぞれ入力されるようになっている。
【００２２】
上記ＬＥＤ照明タイミング発生回路３８は、タイミング信号Ｇ１を出力して第１ＬＥＤ１８Ａを駆動し、タイミング信号Ｇ２を出力して第２ＬＥＤ２０Ａを駆動する。そして、このタイミング発生回路３８と前記乱数発生回路３４等により乱数制御手段が構成されている。
【００２３】
又、前記到達検知・検出タイミング発生回路３２からの信号Ａ３は通過速度検出カウンタ回路（手段）４２に入力され、該発生回路３２からの信号Ａ１（コイン通過方向）と該カウンタ回路４２からの信号Ｂ１（通過速度）は上記正規コイン通過判定回路（手段）４０にも入力され、更にクロック発生回路４４からクロック信号Ｃ１が全体の同期をとるために、全回路３２〜４２にそれぞれ入力されるようになっている。
【００２４】
次に、前記制御部３０による制御動作を、図４のコイン通過タイミングチャートをも参照して以下に詳述する。なお、本実施形態では、センサ間隔が６ｍｍ、コイン通過速度１０００ｍｍ／ｓ、クロック周波数１０ＫＨｚ（１００μｓ周期）でのタイミングである。又、対応するセンサ及び回路からの出力信号を付記した。
【００２５】
コイン投入口１２からコインＣが投入されると、該コインＣは通路１４を転がって最初の第１透過型フォトセンサ１８を通過するが、その際に該センサ１８の投光側の第１ＬＥＤ１８Ａの光が遮蔽されることにより、第１受光素子１８Ｂにより検出される。
【００２６】
コインＣの通常の検出では、第１透過型フォトセンサ１８、第２透過型フォトセンサ２０の両センサとも、前記タイミング信号Ｇ１、Ｇ２により前記１０ＫＨｚ（１００μｓ）毎の一定の間隔でパルス光を投光すると共に、それを受光することにより検出確認をしている。
【００２７】
図４（１）に示すように、このコインＣの到達が第１センサ１８により、信号Ｓ１のＯＮ→ＯＦＦとして検出されると、（２）に示すように同一のコインの到達を第２センサ２０Ｂが信号Ｓ２のＯＮ→ＯＦＦとして検出するまでの時間が、センサ間隔が６ｍｍでコイン通過速度が１０００ｍｍ／ｓであることから、約６ｍｓであり、この時間差を利用して（３）の不正判定期間で示す３ｍｓの間に、以下の不正判定を行なう。
【００２８】
第１センサ１８がコインＣを検出すると、（５）に（３）の不正判定期間を拡大して示すと共に、（６）に時間を拡大してクロック信号Ｃ１を示すように、一定間隔（１００μｓ）で投光を繰返し、そのパルス光を受光していた第２センサ２０に対して、それまでの投光タイミングＣ１に、乱数発生回路３４が発生する信号Ｆ１で示すクロック制御を加え、本来の投光のクロック信号Ｃ１を間引きした形の（８）で示す発光タイミングＧ２を、ＬＥＤ照明タイミング発生回路３８から出力させて第２ＬＥＤ２０Ａを発光させ、それを第２受光素子２０Ｂにより検出する。
【００２９】
検出された信号は、前記タイミング発生回路３２から信号Ａ２として正・不正判定回路３６に入力され、乱数発生回路３４からの信号Ｆ１と比較される。その結果、（１１）に示す第２センサ２０による受光タイミングＳ２のように、（９）に破線で示す未発光の部分に不正な発光があると正・不正判定回路３６で判定されると、信号Ｄ１が出力され、正規コイン通過判定回路４０は信号Ｅ１を出力してエラー検出信号を発生させ、例えばアラーム音を発するが、カウント信号を発生させない。
【００３０】
逆に、（１０）のように第２センサ２０による受光タイミングＳ２に不正な発光がなく、正常に発光、未発光の信号が検出されたときは、正・不正判定回路３６は正常と判定し、正規コイン通過判定回路４０は信号Ｅ２を出力し、カウント信号を発生させる。
【００３１】
本実施形態では、上記乱数発生回路３４が、１６ビット巡回符号（ＣＲＣ：Ｃyclic  Ｒedundancy  Ｃheck）発生回路を用いて電源ＯＮ時からクロックＣ１に同期して、上記出力Ｆ１の乱数を発生している。又、不正検出に使う判定期間は、第２センサ２０により検出されるまでの６ｍｓより短い、３ｍｓ（１００μｓの３０回分）としている。
【００３２】
従って、不正治具を使ってクロックＣ１と同一のパルス発光を繰り返したとしても、（３）、（５）に示す限られた時間内に乱数パルスを発生させるようにしたことにより、確実に不正行為を発見することができる。
【００３３】
又、本実施形態では、上述した乱数発生回路３４による不正判定の他に、以下に説明する第１センサ１８と第２センサ２０の検出時間差（（４）の速度検出期間）を用いた通過速度検出カウンタ回路４２による通過速度検出をも行なっている。
【００３４】
第１センサ１８がコインの通過を検出すると、タイミング発生回路３２から信号Ａ３が入力され、通過速度検出カウンタ回路４２は１００μｓ周期のクロック信号に同期してカウントを開始する。第２センサ２０で同一のコインが検出されて同じくＡ３として入力されると、それまでのカウンタ値を信号Ｂ１として正規コイン通過判定回路４０に送り、所定のカウンタ値から外れた数値が検出されたときはＥ１を出力してエラー検出信号を発生させる。速度検出期間が６ｍｓであることから、コインの通過速度が１００ｍｍ／ｓではカウンタ値は凡そ６０となる。エラー信号はカウンタ値が異常に低い時等、通路にコインが引掛ったり、形状や表面状態の異常なコインで所定の速度に達しないとき等の保守目的の信号とすることができる。
【００３５】
以上詳述した本実施形態によれば、コイン到達を第１センサ１８が検出してから第２センサ２０が検出するまでの時間に、乱数発生回路で発生させたタイミングでパルス点灯させた発光信号を第２センサ２０が直接受光し、発光信号どおりの正しい受光が行なわれたか否かにより正・不正を判定するようにしたことにより、乱数発生させたタイミングと同じ投光タイミングを不正治具により発生させることは事実上不可能であることから、確実に不正を検知することができる。
【図面の簡単な説明】
【００３６】
【図１】コイン選別機の概要を示す正面図
【図２】本実施形態のコイン選別機の概要を示す模式図
【図３】本実施形態のコイン選別機に適用される制御部の概要を示すブロック図
【図４】制御部によるコイン通過の制御動作を示すタイミングチャート
【符号の説明】
【００３７】
１０…コイン選別機
１２…投入口
１４…通路
１６…排出口
１８…第１透過型フォトセンサ
１８Ａ…第１ＬＥＤ
１８Ｂ…第１受光素子
２０…第２透過型フォトセンサ
２０Ａ…第２ＬＥＤ
２０Ｂ…第２受光素子
２２…制御基板
３０…制御部
【図１】
2008000498.tif 000003
【図２】
2008000498.tif 000004
【図３】
2008000498.tif 000005
【図４】
2008000498.tif 000006